(57)【特許請求の範囲】
【請求項１】
炊飯器本体に開閉自在に設けた蓋体により、前記炊飯器本体内に収容した内鍋の上方開口部を開閉する炊飯器の蓋開閉機構において、
前記蓋体を、開放初期には、炊飯器本体の後方上部に設けた第１支軸を回動中心として回動させる一方、開放途中で、前記第１支軸よりも下方に設けた第２支軸に回動中心を変更して炊飯器本体の後方に回動させるようにしたことを特徴とする炊飯器の蓋開閉機構。
【請求項２】
炊飯器本体に開閉自在に設けた蓋体により、前記炊飯器本体内に収容した内鍋の上方開口部を開閉する炊飯器の蓋開閉機構において、
前記蓋体を、炊飯器本体の側面に上下動可能に設けた支軸を中心として回動自在とすることにより、開放初期で、一旦内鍋の上方に移動させた後、炊飯器本体の後方に回動させるようにしたことを特徴とする炊飯器の蓋開閉機構。
【発明の詳細な説明】
【０００１】
【発明の属する技術分野】
本発明は、炊飯器の蓋開閉機構に関するものである。
【０００２】
【従来の技術】
従来、炊飯器の蓋開閉機構は、炊飯器本体の後方上部に設けた支軸に蓋体を回動自在に取り付けた構成となっている。
【０００３】
【発明が解決しようとする課題】
しかしながら、前記構成では、蓋体の開放時、全高が高くなるので、設置場所が制限される。一方、全高を抑えるために、蓋体の開度を水平面に対して９０度以下としたのでは、米飯の取り出しや内鍋の着脱時に邪魔になる。
【０００４】
また、蓋体の内面に設けたパッキンが内鍋の上方開口内縁に密着しているため、炊飯器本体に対して蓋体を水平方向にスライドさせる構成を採用して蓋体開放時の全高を抑えようとしても、簡単には採用不可能である。
【０００５】
そこで、本発明は、蓋体開放時の全高を抑えつつ、開放初期の回動もスムーズに行わせることができ、しかも全開可能な炊飯器の蓋開閉機構を提供することを課題とする。
【０００６】
【課題を解決するための手段】
本発明は、前記課題を解決するための手段として、炊飯器本体に開閉自在に設けた蓋体により、前記炊飯器本体内に収容した内鍋の上方開口部を開閉する炊飯器の蓋開閉機構において、
前記蓋体を、開放初期には、炊飯器本体の後方上部に設けた第１支軸を回動中心として回動させる一方、開放途中で、前記第１支軸よりも下方に設けた第２支軸に回動中心を変更して炊飯器本体の後方に回動させるようにしたものである。
【０００７】
この構成により、前記内鍋の上方開口内縁に蓋体の内面に設けたパッキンが係合した状態から、従来同様、蓋体を第１支軸を中心として回動させることにより、スムーズに開放させることができる。そして、蓋体は、第１支軸を中心とする開放途中で、回動中心が第１支軸よりも下方の第２支軸に変換されるので、蓋体の軌跡が変更され、開放途中での全高を低く抑えることが可能となる。また、蓋体は、炊飯器本体の側方に回動するので、全開可能となり、米飯の取り出しや内鍋の着脱時、邪魔になることはない。
【０００８】
また、本発明は、前記課題を解決するための手段として、炊飯器本体に開閉自在に設けた蓋体により、前記炊飯器本体内に収容した内鍋の上方開口部を開閉する炊飯器の蓋開閉機構において、
前記蓋体を、炊飯器本体の側面に上下動可能に設けた支軸を中心として回動自在とすることにより、開放初期で、一旦内鍋の上方に移動させた後、炊飯器本体の後方に回動させるようにしたものである。
【０００９】
この構成により、前記内鍋の上方開口内縁に蓋体の内面に設けたパッキンが係合した状態から、蓋体を上動させることにより、この係合状態を簡単に解除することができる。そして、蓋体を炊飯器本体の側面に設けた支軸を中心として回動させることにより、開放途中での全高を低く抑えることが可能となる。また、蓋体は、炊飯器本体の側方に回動するので、全開可能となり、米飯の取り出しや内鍋の着脱時、邪魔になることはない。
【００１０】
【発明の実施の形態】
以下、本発明に係る実施形態を添付図面に従って説明する。
（第１実施形態）
図１ないし図４は、第１実施形態に係る炊飯器を示す。この炊飯器では、炊飯器本体１内に取り出し自在に収容された内鍋２を、炊飯器本体１に設けられ、開放途中で回動中心を変更される蓋体３により開閉するようになっている。
【００１１】
蓋体３は、ある開度まで炊飯器本体１の後方上部に位置する第１支軸４を中心として回動自在に設けられている。第１支軸４には第１スプリング５が巻回されている。第１スプリング５の一端部は、後述するアーム８の係止凹部１１に係止され、他端部は蓋体３の係止受部（図示せず）に係止されている。これにより、蓋体３は第１支軸４を中心として開放方向に付勢される。また、蓋体３は、図示しないフックが炊飯器本体１に係止することにより、前記第１スプリング５の付勢力に抗して閉塞状態に維持される。蓋体３の内面外周部には環状のパッキン６が突設されている。パッキン６は、閉塞状態で、炊飯器本体１に収容した内鍋２の上方開口内縁に圧接し、内鍋２内を封止状態とする。
【００１２】
炊飯器本体１には、両側面下方の各第２支軸７を中心として一対のアーム８が回動自在に設けられている。各アーム８の先端には、前記第１支軸４の両端部がそれぞれ回転自在に連結されている。また、各第２支軸７には第２スプリング９が巻回されている。第２スプリング９の一端部は、炊飯器本体１に設けた係止片１０に係止され、他端部はアーム８に圧接している。これにより、アーム８は、図１中、第２支軸７を中心として反時計回り方向に付勢され、第１支軸４を炊飯器本体１の後方上部に位置決めする。
【００１３】
前記アーム８の先端には、前記第１支軸４の近傍に、係止凹部１１、ストッパ面１２、及びストッパ部１３がそれぞれ形成されている。係止凹部１１には、前記第１スプリング５の一端部が係止されている。ストッパ面１２は、蓋体３を第１支軸４を中心として回動させてパッキン６が内鍋２から離脱する中間開放位置（図３）で、蓋体３の押圧面３ａに押圧される。したがって、これ以降、蓋体３及びアーム８は第２支軸７を中心として一体的に回動する。つまり、蓋体３は開放途中で回動中心を第１支軸４から第２支軸７に変換されることになる。前記ストッパ部１３は、ゴム等を半球状に形成したもので、炊飯器本体１の背面上下にそれぞれ当接する。このため、炊飯器本体１の背面は、蓋体３の開閉動作に伴って第１支軸４と共に回動するストッパ部１３の軌跡にほぼ沿う形状に形成されている。そして、蓋体３が全開位置まで回動すると、ストッパ部１３が炊飯器本体１の背面下部に当接してそれ以上の回動を阻止する。
【００１４】
次に、前記炊飯器に於ける蓋体３の開閉動作について説明する。
蓋体３により内鍋２の上方開口部を閉塞した状態では、第１支軸４が炊飯器本体１の後方上部に位置しており、蓋体３のフックが炊飯器本体１の係止受部（図示せず）に係止している。また、パッキン６が内鍋２の上方開口内縁に圧接し、内鍋２内は封止されている。
【００１５】
この状態から、前記フックの係止を解除すると、第１スプリング５の付勢力により、蓋体３は従来の炊飯器とほぼ同じ位置にある第１支軸４を中心として図１中時計回り方向に回動する。したがって、内鍋２からパッキン６を無理なく適切に離脱させることができる。
【００１６】
内鍋２からパッキン６が離脱して蓋体３が図３に示す中間開放位置に到達すると、蓋体３の押圧面３ａがアーム８のストッパ面１２に圧接する。このため、蓋体３は図４に示すようにアーム８と共に第２支軸７を中心として一体的に回動する。すなわち、蓋体３の開放途中で、回動中心が下方側に変換されるので、蓋体３の先端側（第１支軸とは反対側）の軌跡が、第１支軸４のみを中心として回動させる場合の軌跡から外れ、低く変位することになる。この結果、炊飯器の全高が抑えられ、上下方向に十分に余裕のない場所に設置することが可能となる。また、蓋体３が中間開放位置（図３）から全開位置（図４）に至るまでは、中間開放位置に到達したときの慣性力と、蓋体３及びアーム８の自重とにより、蓋体３が第２スプリング９の付勢力に抗して回動を続け、スムーズに後方へと開放して行く。さらに、蓋体３は、炊飯器本体１の側方（背面側）にほぼ垂直となる位置まで回動した時点で、ストッパ部１３が炊飯器本体１の背面下部に当接することにより、それ以上の回動を阻止される。この状態では、内鍋２の上方には蓋体３が位置しないため、米飯の取り出しや内鍋２の着脱を簡単に行うことが可能である。また、蓋体３を閉じるときは、蓋体３を持って上方及び前方に向かって力を付与することにより、第２スプリング９の付勢力に助けられながらスムーズに中間開放位置まで回動させることができる。その後、第１スプリング５の付勢力に抗して押し下げると、フックが炊飯器本体１の係止受部に係止され、全閉状態となる。
【００１７】
（第２実施形態）
図５は、第２実施形態に係る炊飯器を示す。この炊飯器では、蓋体３の両側中央部にアーム１４が一体化されている。アーム１４の先端部には支軸１４ａが設けられている。支軸１４ａは炊飯器本体１の両側面下部に形成した上下方向に延びるガイド溝１５に沿って上下動すると共に、ガイド溝１５の上端部で回転自在となっている。また、支軸１４ａは、図示しないスプリングにより、上方及び反時計回り方向に付勢されると共に、図示しないロック機構によりガイド溝１５の下端部に位置決め可能となっている。ロック機構としては、例えば、図５に点線で示すように、炊飯器本体１の前面に設けたボタン１６を押込操作することにより、リンク１７を回動させ、その先端をアーム８の先端に形成した係止爪１８から離脱させるようにした構造が採用可能である。
【００１８】
次に、前記構成の炊飯器に於ける蓋体３の開閉動作について説明する。
蓋体３により内鍋２を閉塞した状態では、支軸１４ａがガイド溝１５の下端部に位置し、係止爪１８にリンク１７の先端が係止することにより上動を阻止される。これにより、蓋体３に設けたパッキン６が内鍋２の上方開口内縁に圧接して内部を封止する。
【００１９】
ここで、ボタン１６を押し込むと、図６に示すように、リンク１７による係止が解除され、図示しないスプリングの付勢力により、支軸１４ａがガイド溝１５をその上端部まで移動する。これにより、蓋体３は、一旦パッキン６が内鍋２から離脱する中間開放位置まで上動する。支軸１４ａがガイド溝１５の上端部まで移動すると、図示しないスプリングの回転方向に作用する付勢力により蓋体３は炊飯器本体１の背面側に向かって回動する。この場合、図７に示すように、蓋体３の回動中心は、ガイド溝１５の上端部に位置する支軸１４ａであり、炊飯器本体１の約半分の高さの位置である。しかも、この位置は、炊飯器本体１の前後方向中央部である。したがって、蓋体３の軌跡は、従来の炊飯器に比べて低く抑えられ、前記第１実施形態に係る炊飯器と同様、上下方向に十分に余裕のない場所に設置することができると共に、蓋体３を全開させて米飯の取り出しや内鍋２の着脱を簡単に行うことが可能となる。なお、蓋体３を閉める場合には、上方及び前方に向かって力を付与することにより、図６に示すように、蓋体３を炊飯器本体１の上方に移動させた後、下方に向かって押し込めばよい。
【００２０】
【発明の効果】
以上の説明から明らかなように、本発明によれば、蓋体を、開放途中で回動中心を下方に変更する構成としたり、一旦上動した後、炊飯器本体の側面に設けた支軸を中心として回動する構成としたので、蓋体の開放初期でのスムーズな動作を確保しつつ、蓋体開放時の全高を抑えることができる。また、蓋体は、炊飯器本体の側方まで回動するので、全開でき、米飯の取り出しや内鍋の着脱を障害物なくスムーズに行うことが可能となる。
【図面の簡単な説明】
【図１】第１実施形態に係る炊飯器の概略図である。
【図２】図１の部分破断平面図である。
【図３】図１から中間開放位置まで回動した状態を示す概略図である。
【図４】図３から全開位置まで回動した状態を示す概略図である。
【図５】他の実施形態に係る炊飯器の概略図である。
【図６】図５から中間開放位置まで上動した状態を示す概略図である。
【図７】図６から全開位置まで回動した状態を示す概略図である。
【符号の説明】
１…炊飯器本体
２…内鍋
３…蓋体
４…第１支軸
５…第１スプリング
６…パッキン
７…第２支軸
８…アーム
９…第２スプリング
１２…ストッパ面
１３…ストッパ部
【図１】
0003586632.tif 000002
【図２】
0003586632.tif 000003
【図３】
0003586632.tif 000004
【図４】
0003586632.tif 000005
【図５】
0003586632.tif 000006
【図６】
0003586632.tif 000007
【図７】
0003586632.tif 000008